(57)【要約】【課題】第１の電気コネクタを受けるように構成される第１のハウジングと、第２の電気コネクタを受けるように構成される第２のハウジングとを備える電気コネクタ・アセンブリを提供すること。【解決手段】第１の電気コネクタは、対合位置にあるとき電気的信号通路をその間にもたらすことができるように第２の電気コネクタとの対合位置に配置するように構成することができる。電気コネクタ・アセンブリは、第１の電気コネクタが第２の電気コネクタとの対合位置にあるとき、第１のハウジングと第２のハウジングの間に電気的接続性をもたらすように構成される複数の付勢される部材を備えるシールドも備えることができる。【選択図】図１
2007128890.tif 000002
【特許請求の範囲】
【請求項１】
その中に配設される第１の電気コネクタ（９１０）を含む第１のバックシェル（９２０）ハウジングと、
その中に配設される第２の電気コネクタ（８１０）を含む第２のバックシェル・ハウジング（８２０）と、
電気的な信号通路をその間にもたらすことができるように前記第１の電気コネクタが前記第１の電気コネクタと対合するように前記第１のバックシェル・ハウジングを前記第２のバックシェル・ハウジングに解放可能に連結する４分の１回転留め具（８６０）と、
前記第１のバックシェル・ハウジングと前記第２のバックシェル・ハウジングの間に配設され、これらの間の電気的および機械的接続性をもたらすワンピースのシールド（３００、６００）であって、このワンピースのシールドが前記第１の電気コネクタの少なくとも一部分および前記第２の電気コネクタの少なくとも一部分を取り囲む複数の付勢される部材（３１０、６１０）を備え、前記ワンピースシールドがベース部分（３３０、６３０）および前記ワンピースシールドの中央を画成する長手方向軸を有し、前記複数の付勢部材のおのおのが約９５度から約１３５度の範囲の角度（α１、α３）で下側部分（３１０ａ、６１０ａ）に連結される上側部分（３１０ｂ、６１０ｂ）を含み、前記長手方向軸から離れて外向きに、かつ向かって内向きにのうちの１つに付勢され、前記下側部分は外向きに付勢されるとき約１００度から約１３０度の範囲の角度（α２）で、かつ内向きに付勢されるとき約５０度から約８０度の範囲の角度（α４）で前記ベース部分に連結されるワンピースシールドとを備える、電気コネクタ・アセンブリ（２０）。
【請求項２】
前記第２のバックシェル・ハウジングが、少なくとも１本の電線が前記第２のバックシェル・ハウジングの移動方向と実質的に垂直な方向に前記第２のバックシェル・ハウジングを出るように、前記少なくとも１本の電線（８４５）を受けるように構成される少なくとも１つの開口部（８４０）を備える、請求項１に記載の電気コネクタ・アセンブリ。
【請求項３】
前記第２のバックシェル・ハウジングが、前面、後面（８２５）、および複数の横面（８３５）を備え、前記少なくとも１つの開口部が前記横面のうちの少なくとも１つによって画成される、請求項２に記載の電気コネクタ・アセンブリ。
【発明の詳細な説明】
【技術分野】
【０００１】
本発明は電気コネクタに関する。より詳しくは、本発明はコネクタ・バックシェル・アセンブリと電気信号（例えば、電力および／またはデータ）が供給される電子構成部品に配置されるコネクタ・アセンブリの間の接続をもたらすために使用する電気コネクタ・アセンブリに関する。
【背景技術】
【０００２】
電線（例えば、ケーブル）と電線から電気信号を受け取るように構成される電子ユニットまたは他の同様な装置上の電気コネクタの間の接続をもたらすもののような、従来型の電気コネクタ・アセンブリは、電子ユニットに配設される電気コネクタ・アセンブリおよび（例えば、それらが１本または複数本のケーブルを形成する）１本または複数本の電線に取り付けられる電気コネクタ・アセンブリをしばしば含む。このケーブル電気コネクタ・アセンブリは、雄型または雌型接触部品（例えば、ピン、プロング、レセプタクル等）を備える１つまたは複数の電気コネクタで終端する電線を受けるための開口部を一端に有する、しばしばバックシェルと呼ばれるハウジングを含むこともできる。このハウジングは、電子ユニットの電気コネクタ・アセンブリと対合するために開口部を反対側の端部にも有することができる。このバックシェルは、電線およびケーブル・コネクタ・アセンブリの電気コネクタを保護し、かつ電子ユニット・コネクタ・アセンブリに対するケーブル・コネクタ・アセンブリの対合接続も保護するようにさらに構成することができる。この電子ユニット電気コネクタ・アセンブリは、ケーブル電気コネクタ・アセンブリの電気接触部品と対合するように構成される雄型または雌型接触部品を備える１つまたは複数の電気コネクタを有することができる。さらに、この電子ユニット・コネクタ・アセンブリは、この電子ユニット・コネクタ・アセンブリの電気コネクタを取り囲みかつ保護し、かつケーブル・コネクタ・バックシェルと対合するハウジングも有することもできる。
【０００３】
機械的な接続の他に、漂遊ＥＭＩ（電磁気干渉（ｅｌｅｃｔｒｏｍａｇｎｅｔｉｃ  ｉｎｔｅｒｆｅｒｅｎｃｅ））またはＲＦＩ（無線周波数干渉（ｒａｄｉｏ  ｆｒｅｑｕｅｎｃｙ  ｉｎｔｅｒｆｅｒｅｎｃｅ））が、損傷の起こる可能性のあるユニットの電子機器内に流れ込むのを妨げるために、このケーブル・バックシェルと電子ユニット上のコネクタ・アセンブリの間に電気的接続性を設けることも望ましい場合がある。いくつかの従来型の装置では、複数の部品を備える比較的複雑な電気シールドが、バックシェルとユニット・コネクタ・ハウジングの間の電気的接続性をもたらすために使用される場合がある。別の従来型装置では、ガスケット状の形態を有する電気シールドが、バックシェルと電子ユニット・コネクタ・アセンブリのハウジングとの間に電気的接続性をもたらすために使用されてきた。これらの従来型シールドのいくつかは実質的に平らな形態を有し、ユニット・コネクタ・アセンブリの電気コネクタを取り囲むことができるようにケーブル・コネクタ・アセンブリに対面するユニット・ハウジングの表面上に設けられる。このバックシェルはしばしば、横向きの壁を有することができ、その自由端は、ケーブル・コネクタおよびユニット・コネクタが完全に対合する状態で係合するとき、電気シールドと接触する。
【０００４】
いくつかの従来型コネクタ・アセンブリでは、例えばねじなどの留め具がバックシェルとユニット・コネクタ・アセンブリの間の十分な対合力をもたらすように使用される。これらの留め具は、ケーブル・コネクタ・アセンブリとユニット・コネクタ・アセンブリの間の（例えば、ピンとレセプタクルの間の、かつ／またはバックシェルとユニット・ハウジングの間の）対合接続に加えて、この対合接続を確実に維持するのを助ける力を供給する。さらに、バックシェルとユニット・コネクタ・アセンブリの間の電気的接続性を形成するために電気シールドが設けられる場合、そのような留め具はバックシェルがシールドと確実に接触を保ち、それによって電気的接触を確実に維持するのを助けることもできる。ガスケットの形状の電気シールドの場合、複数の留め具が、ガスケット全体の周りでバックシェルとガスケットの間の実質的に均一な接触を保証するために、ガスケットに対して実質的に対照的な位置にしばしば配置される。
【０００５】
留め機構は、例えば航空環境などの環境で一般的である可能性のある振動および他の動きなどの比較的苛酷な状態に電子ユニットが曝されるとき、特に重要である可能性がある。さらに、ケーブルの重量がケーブル・コネクタとユニット・コネクタの間の対合接続の係脱を引き起こす傾向にある可能性があるので、比較的大きなおよび／または重いケーブルが電子ユニットに接続される場合、留め具機構は有用である可能性がある。
【０００６】
電気コネクタ・アセンブリに従来使用される留め具は、電子ユニットのオペレータによって通常操作され（例えば取り外され、かつ／または取り付けられ）、このことはケーブル・コネクタ・アセンブリをユニット・コネクタ・アセンブリに接続する工程を比較的困難かつ／または時間の掛かるものとする可能性がある。このことは、ケーブル・コネクタ・アセンブリのどちら側にも実質的に互いに対向して配設される２つのねじの形態の従来型留め具に対して特に正しい。オペレータは、接触がバックシェルと電気シールドの間でシールドの周りで実質的に均一に（例えば、対称的に）行われるのを保証するために両方のねじを操作しなければならない。
【０００７】
さらに、そのような留め具は結果的に、比較的複雑かつ／またはコストの掛かる電気コネクタ・アセンブリ設計になる可能性がある。
【０００８】
従来型電気コネクタ・アセンブリも、（１本または複数本のケーブルを形成する場合のある）電線がバックシェルの後面を出るケーブル・コネクタ・アセンブリを含む場合がある。換言すれば、ケーブル・コネクタ・アセンブリとユニット・コネクタ・アセンブリの間の対合接続を形成することができるようにケーブル・コネクタ・アセンブリが移動させられる方向と実質的に平行な方向に、電線はバックシェルを出る。すなわちケーブルは、ケーブル・コネクタ・アセンブリとユニット・コネクタ・アセンブリの対合接続の間のインターフェイスを画成する平面に実質的に垂直な方向にバックシェルを出る。
【０００９】
例えば航空環境などのいくつかの環境では、その中にケーブル・コネクタ・アセンブリとバックシェルから出るどんな電線（例えば、ケーブル）も電子ユニット・コネクタ・アセンブリに接続するために嵌合しなければならない空間は限られている。例えば、ユニット・コネクタ・アセンブリとユニット・コネクタ・アセンブリを収容する電子ユニットの面に実質的に平行に走る別の表面（例えば、壁または他の表面）の間の空間は限られている。空間が限られている状況では、バックシェルおよびバックシェルの裏面から延びる電線（例えば、ケーブル）は、比較的限られた空間内に嵌合するには大きすぎる可能性があり、またはバックシェルから出るケーブルの部分がユニット・コネクタ・アセンブリに隣接する表面と干渉する場合があるように構成される可能性がある。換言すれば、電線がバックシェルの裏面から出る従来型のケーブル・コネクタ・アセンブリは、ケーブル・コネクタ・アセンブリがそれと対合するように構成される電子ユニットから相対的に遠く突き出す可能性がある。いくつかの状況では、ケーブル・コネクタ・アセンブリおよびそこから延びるどんなケーブルも収容するために、バックシェルから出る電線（例えば、ケーブル）を曲げることが必要になる可能性がある。いくつかの種類のケーブルの相対的な厚さに起因して、ケーブルを曲げることかつ／または比較的きびしい曲げ（例えば、曲線の極端な半径）を行うことが困難であることが判明する場合がある。さらに、バックシェルの裏面から出るケーブルを曲げることは、ケーブルに損傷を引き起こす可能性のある応力をケーブルに課し、かつ／またはケーブル・コネクタ・アセンブリをユニット・コネクタ・アセンブリとの適切な係合から外に引き出す傾向の力をケーブル・コネクタに引き起こす可能性がある。
【００１０】
さらに、上記で述べた限られた空間を有する環境では、バックシェルの裏面から出る１本または複数本のケーブルを有するケーブル・コネクタ・アセンブリを取り外すかつ／または取り付けることは困難である可能性がある。
【発明の開示】
【発明が解決しようとする課題】
【００１１】
したがって、ケーブル・コネクタ・バックシェルとユニット・コネクタ・アセンブリの間に電気的接続性をもたらす電気コネクタ・アセンブリを提供することは望ましい可能性がある。そのような接続性を維持することで、漂遊ＥＭＩおよび／またはＲＦＩがユニットの電子機器に流れることを防止することができ、それによってユニット電子機器を損傷から保護することができる。
【００１２】
例えば、ケーブル・コネクタ・アセンブリをユニット・コネクタ・アセンブリに連結させる工程中、電子ユニットのオペレータによる比較的困難な操作を必要とする例えばねじなどの、比較的操作の困難な留め具を使用せずに、ケーブル・コネクタ・バックシェルとユニット・コネクタ・アセンブリの間の電気的接続性を維持することができる電気コネクタ・アセンブリを提供することも望ましい可能性がある。さらに、複数の、対称的に配設される留め具の必要なしに、ケーブル・コネクタ・バックシェルとユニット・コネクタ・アセンブリの間の電気的接続性を維持することができる電気コネクタ・アセンブリを提供することも望ましい可能性がある。
【００１３】
対合中、シールドを曲げおよび／または他の損傷から保護する電気コネクタ・アセンブリ構造を提供することは望ましい可能性がある。
【００１４】
設計および取り付けが比較的単純で、かつ製造するのに比較的安価な電気コネクタ・アセンブリを提供することも望ましい可能性がある。
【００１５】
したがってユニット・コネクタ・アセンブリに接続するとき、もたらされる可能性のある限られた空間にアセンブリを嵌合させることを可能にするケーブル・コネクタ・アセンブリ構造を提供することが、望ましい可能性がある。ケーブル・コネクタ・アセンブリのユニット・コネクタ・アセンブリに対する取り外し、かつ／または取り付け中、従来型のケーブル・コネクタ・アセンブリにおけるより相対的に少ない場所を占有するケーブル・コネクタ・アセンブリ構造を提供することも望ましい可能性がある。
【００１６】
さらにバックシェルから出るケーブルを曲げる必要をなくすケーブル・コネクタ・アセンブリ構造を提供することも望ましい可能性がある。
【００１７】
さらに、ケーブル・コネクタ・アセンブリとユニット・コネクタ・アセンブリの間の対合接続を比較的時間の掛かるオペレータの取り付けなしに維持するように構成される電気コネクタ・アセンブリを提供することが望ましい可能性がある。例えば、複数の、操作が比較的困難な留め具の必要をなくすことも望ましい可能性がある。代わりに比較的容易に取り付けられる電気コネクタ・アセンブリを提供することが望ましいことがある。
【課題を解決するための手段】
【００１８】
本発明の例示的な態様による電気コネクタ・アセンブリは、上記で説明した１つまたは複数の上記で述べた望ましい特徴を満足させることができる。他の特徴および利点は以下の詳細な説明から明らかになるであろう。
【００１９】
本明細書で具体化されかつ広範に説明されるような例示的な一態様によれば、本発明は、第１の電気コネクタを受けるように構成される第１のハウジングと、第２の電気コネクタを受けるように構成される第２のハウジングとを備える、電気コネクタ・アセンブリを含むことができる。この第１の電気コネクタは、対合位置にあるとき電気的信号通路をその間に設けることができるように第２の電気コネクタとの対合位置に配置するように構成することができる。この電気コネクタ・アセンブリは、第１の電気コネクタが第２の電気コネクタとの対合位置にあるとき、第１のハウジングと第２のハウジングの間に電気的接続性をもたらすように構成される複数の付勢される部材を備えるシールドを備えることができる。
【００２０】
さらに別の例示的な態様によれば、本発明は、少なくとも１本の電線と電気的インターフェイスをもたらすように構成される第１の電気コネクタを受けるように構成されるハウジングを備える電気コネクタ・バックシェル・アセンブリを含むことができ、この第１の電気コネクタは、第１の電気コネクタと第２の電気コネクタの間に電気信号をもたらすことができるように、電子ユニットに設けられる第２の電気コネクタと対合するように構成される。このバックシェル・アセンブリは、ハウジングによって画成され、かつ第１と第２の電気コネクタの対合中、ハウジングの移動方向に対して実質的に垂直な方向に少なくとも１本の電線がハウジングを出るように、少なくとも１本の電線を受けるように構成される少なくとも１つの開口部をさらに備えることができる。
【００２１】
さらに別の例示的な態様によれば、本発明は第１の電気コネクタを受けるように構成され、第１の電気コネクタを実質的に取り囲む第１の横壁を備える第１のハウジング、およびその間に電気的信号をもたらすことができるように第１の電気コネクタと対合位置に配置されるように構成される第２の電気コネクタを受けるように構成される第２のハウジングを備える電気コネクタ・アセンブリを含むことができる。この第２のハウジングは、第２の電気コネクタを実質的に取り囲む第２の横壁を備えることができる。この第２の横壁の自由端は、第１のハウジングと第２のハウジングの間に電気的接続性をもたらすことができるように第１の電気コネクタと第２の電気コネクタが対合位置にあるとき、第１のハウジングの一部分と接触するように構成することができる。第１の横壁は、第１の電気コネクタと第２の電気コネクタが対合位置にあるとき第２の横壁を実質的に取り囲むように構成することができる。
【００２２】
以下の説明で、いくつかの態様および実施形態が明らかになるであろう。本発明はその広い意味でこれらの態様および実施形態の１つまたは複数の特徴を有することなく実施できることは理解すべきである。これらの態様および実施形態は、単に例示的かつ説明的なものであり、本発明を限定するものではないことを理解すべきである。
【００２３】
この出願の図面は本発明の例示的実施を示し、その説明と共にいくつかの原理を明らかにする働きをする。
【発明を実施するための最良の形態】
【００２４】
本発明の態様による電気コネクタ・アセンブリの例示的実施形態を図１に示す。この電気コネクタ・アセンブリは、電子ユニット１に設けられるユニット電気コネクタ・アセンブリ１０、および１本または複数本のケーブルの形態であり得る１本または複数本の電線１５に取り付けられるケーブル電気コネクタ・アセンブリ２０を含むことができる。このユニット・コネクタ・アセンブリ１０およびケーブル・コネクタ・アセンブリ２０は、電気信号がこれら２つの間を流れることができるように、図１に示すように互いに対合するように構成される。ケーブル電気コネクタ・アセンブリ２０をユニット電気コネクタ・アセンブリ１０との対合位置から外へ取り外すために、ケーブル・コネクタ・アセンブリ２０は図１に示す矢印の方向に移動させられる。図１に示す電気コネクタ・アセンブリの例示的実施形態に関するさらなる詳細、およびそれらの様々な例示的態様は以下に説明する。
【００２５】
様々な例示的実施形態によれば、ユニット電気コネクタ・アセンブリは複数のフィンガーを含む電気シールドを備えることができる。図２、２Ａ、および３は、ケーブル・コネクタ・アセンブリ２００およびユニット・コネクタ・アセンブリ３００を備える電気コネクタ・アセンブリの様々な横断面を示す。図２、２Ａ、および３を参照すると、このケーブル・コネクタ・アセンブリ２００は、コネクタ２１０内に受けられる少なくとも１本の電線（図示せず）を収納しかつ保護するコネクタ２１０を含むことができる。この少なくとも１本の電線は、図３に示すようにユニット・コネクタ・アセンブリ１００の１つまたは複数の雄型電気接点１１５を受けるように構成されるレセプタクル２１５の形態であり得る１つまたは複数の電気接点との電気的インターフェイスを形成することができる。別法として、この少なくとも１本の電線は、例えば、ピン、プロング、または他の同様な雄型接点部品の形態の１つまたは複数の電気接点との電気的インターフェイスを形成することができる。この後者の実施形態では、ケーブル・コネクタ・アセンブリのコネクタ２１０に受けられる雄型電気接点部品は、ユニット・コネクタ・アセンブリの対合する雌型電気接点部品によって受けられるように構成することができる。
【００２６】
このケーブル・コネクタ・アセンブリ２００は、以下で説明するように、コネクタ２１０を取り囲み、かつユニット・コネクタ・アセンブリ１００のハウジング１２０と係合するように構成されるハウジング２２０をさらに含むことができる。このハウジング２２０はしばしばバックシェルと呼ばれる。上記で述べたように、かつ図３に示すように、ケーブル・コネクタ・アセンブリ２００のレセプタクル２１５は、ケーブル・コネクタ・アセンブリ２００とユニット・コネクタ・アセンブリ１００の間の電気的接続性をもたらすことができるように、例えば、ユニット・コネクタ・アセンブリ１００のピン１１５などの雄型電気コネクタ部品を受けるように構成することができる。したがって、このケーブル・コネクタ・アセンブリ２００は、少なくとも１本の電線に対するユニット・コネクタ・アセンブリ１００用の電気的インターフェイスを画成する。例示的な態様によれば、このケーブル・コネクタ・アセンブリ２００は、例えば１本または複数本のケーブルを形成することができる複数の電線（図示せず）に対する電気的インターフェイスを画成することができる。
【００２７】
図２および３の例示的実施形態に示し、かつ上記で説明したように、このユニット電気コネクタ・アセンブリ１００は、図２および３の実施形態ではケーブル・コネクタ・アセンブリ２００のレセプタクル２１５によって受けられるように構成されるピン１１５の形態の、１つまたは複数の雄型接点部品を備える電気コネクタ１１０を含むことができる。図示しない代替の態様では、このユニット・コネクタ・アセンブリ１００は、例えばレセプタクルなどの１つまたは複数の雌型接点部品を備えることができ、ケーブル・コネクタ・アセンブリは、例えばピン、プロング、また他の同様な接点部品などの１つまたは複数の対合する雄型接点部品を備えることができる。
【００２８】
このピン１１５を、例えば、電力信号、入力／出力用のデータ信号、または他の種類の電気信号などの電気信号が供給されるべき電子ユニット内に格納される１つまたは複数の電子構成部品に電気的に接続することができる。ハウジング１２０は、電気コネクタ１１０およびピン１１５を取り囲むことができ、かつケーブル・コネクタ・アセンブリ２００のバックシェル２２０と係合するように構成することができる。図３の例示的な実施形態では、ケーブル・コネクタ・アセンブリ２００およびユニット・コネクタ・アセンブリ１００は対合位置で示されている。
【００２９】
図２および３の例示的な実施形態では、バックシェル２２０は、コネクタ２１０から間隔が開き、かつそれを取り囲む横壁２３０を含む。例示的な態様では、この横壁２３０は、例えば長方形の形態、リング状の形態、または様々な他の形態を有することができる。ユニット・コネクタ・アセンブリ１００のハウジング１２０も、コネクタ１１０から間隔が開き、かつそれを取り囲む横壁１３０を含み、かつ同様に例えば長方形、リング状の、または様々な他の形態を有することができる。当業者は、バックシェル・アセンブリおよびユニット・ハウジングの横壁は、使用するコネクタ・アセンブリの種類に応じて、長方形、リング状、正方形等などの様々な形態を有することができることを理解するであろう。
【００３０】
図２および３の例示的な実施形態によれば、バックシェル横壁２３０の外側周辺寸法（例えば、外径）は、ユニットおよびケーブル・コネクタ・アセンブリ１００および２００が（例えば、ピン１１５がレセプタクル２１５内に受けられる）対合位置あるとき、壁２３０が壁１３０の内側に入れ子になるように、ユニット・ハウジング横壁１３０の内側周辺寸法（例えば、内径）よりわずかに小さくすることができる。
【００３１】
このハウジング１２０およびバックシェル２２０はおのおの、例えば、どちらも無電解ニッケル鍍金を有することができるアルミニウム合金、または亜鉛合金、または他の導電性材料などの材料を備えることができる。電気シールド３００は、ケーブル・コネクタ・アセンブリ２００およびユニット・コネクタ・アセンブリ１００が図３に示すように対合位置にあるとき、バックシェル２２０とハウジング１２０の間の電気的接続をもたらすことができる。上記で論じたように、バックシェル２２０とユニット・コネクタ・ハウジング１２０間のそのような電気的接続性は、それらの電子機器に対する潜在的な損傷を最小限にできるように、漂遊ＥＭＩおよび／またはＲＦＩがユニットの電子機器に入ることのを防止するのを助けることができる。
【００３２】
図４は、図２および３の電気シールド３００の例示的な実施形態の斜視図を示す。この電気シールド３００は、開口部３２０を画成することができるように、シールド３００の周辺周りに配置される複数の独立に移動可能なフィンガー３１０を備える。例示的な一態様によれば、このフィンガー３１０は、例えばばね付勢で、シールド３００の長手方向軸（例えば、中央）から離れて外向きに付勢される。このフィンガー３１０は、下側部分３１０ａおよび上側部分３１０ｂを備える。下側部分３１０ａおよび上側部分３１０ｂは、図２Ａに示すように、上側部分３１０ｂがシールド３００の長手方向軸に向かって傾くように、ある角度α１で互いに交わる。上側部分３１０ｂおよび下側部分３１０ａが交わるところの角度α１は、約９５°から約１３５°の範囲であることができ、例えば角度α１は約１１５度であることができる。フィンガー３１０の下側部分３１０ａと上側部分３１０ｂが交わるところで、フィンガー３１０の最外表面部分を構成するわずかな曲げ（半径）３１０ｃが形成される。例示的な実施形態では、曲げ３１０ｃは約０．２５４ｍｍ（．０１インチ）から約３．８１ｍｍ（．１５インチ）の範囲の曲率半径を有することができ、例えばこの曲げ部は約０．７６２ｍｍ（．０３インチ）の曲率半径を有することができる。
【００３３】
このフィンガー３１０は、シールド３００のベース部分３３０から延びる。このベース部分３３０は実質的に平らであることができ、フィンガー３１０の下側部分３１０ａはベース部分３３０に対し実質的に垂直な方向に、ベース部分３３０から延びることができる。実質的に垂直に延びるとは、下側部分３１０ａがベース部分と９０°よりわずかに小さなある角度でベース部分３３０と交わるフィンガー３１０を包含すると理解すべきである。様々な例示的な実施形態によれば、フィンガー３１０は約１００°から約１３０°の範囲の角度α２を形成することができ、このフィンガー３１０は例えば約１００度の角度α２を形成することができる。
【００３４】
ベース部分３３０は、相対的に大きな開口部３３５、および例えば座ぐりした開口部の形態であることができる２つのより小さな開口部３４０を画成することができる。図２および３に示すように、シールド３００は、ユニット・コネクタ・アセンブリ１００の、ピン１１５を含む電気コネクタ１１０の一部分を開口部３３５が受けるように構成することができる。この開口部３４０は、シールド３００をハウジング１２０の裏面１３５に固定するように構成される、例えば、ねじ、ピン、または他の適切な固定機構などの固定機構を受けるように構成することができる。一例としてのみであるが、図１４に示すねじ９７５に類似する固定機構を、シールド３００を開口部３４０を通りハウジング１２０の裏面１３５に固定するために使用することができる。この開口部３４０は、それを通り配置される固定機構がハウジング１２０に加えてコネクタ１１０も通過できるように配置することができる。例えば、図１４のねじ９７５などの固定機構が開口部３４０を通過し、コネクタ１１０のキャプティブナットに受けられることができる。
【００３５】
このシールド３００は、りん青銅、ベリリウム銅合金、ステンレス鋼、ニッケル鍍金鋼、および／またはばね、弾性、および／または形状記憶挙動を示す、または示すように処理することができる材料を含む、ただし限定ではない様々な材料から作ることができる。様々な例示的な実施形態では、ベリリウム銅合金２５ＵＮＳＮｏ．Ｃ１７２００を使用することができ、熱処理する前に１／４時間またはより軟らかく焼き戻すことができる。シールドの形成後、このシールドは、約３２９．４℃（６２５°Ｆ）から約３７１．１℃（７００°Ｆ）で最低約３時間熱処理を受けることができる。当業者は、永久変形を最小限にできるように、ばねのような、弾性挙動を得るために、別の処理工程を使用できるのを理解するであろう。様々な他の実施形態によれば、このシールド３００は金属薄板製造技術および／または金属構成部品を作るのに適した他の技術によって製造することができる。
【００３６】
図２、２Ａ、および３の例示的な実施形態に示すように、このシールド３００は、フィンガー３１０がケーブル・コネクタ・アセンブリ２００の電気コネクタ２１０と対合接続を形成する電気コネクタ１１０の部分を取り囲むように、ユニット・コネクタ・アセンブリ１００とともに配設することができる。シールド３００の寸法は、フィンガー３１０がユニット・コネクタ・アセンブリ１００の横壁１３０から内向きに間隔が開くようにすることができる。例示的な一態様では、このフィンガー３１０は、以下でさらに説明するようにケーブル電気コネクタ・アセンブリ２００とユニット電気コネクタ・アセンブリ１００の適切な対合のための案内部を形成できるように、横壁２３０をフィンガー３１０と横壁１３０の間に挿入できるように、横壁１３０から内向きに間隔が開いている。一例として、横壁２３０の外側表面および横壁１３０の内側表面は、ケーブル・コネクタ・アセンブリ２００およびユニット・コネクタ・アセンブリ１００が対合位置にあるとき互いからある距離Ｓ間隔が開いていることができる。様々な例示的な実施形態では、この距離Ｓは約０．１２７ｍｍ（０．００５インチ）から約０．７６２ｍｍ（０．０３インチ）の範囲にあり、例えばこの距離Ｓは約０．２５４ｍｍ（０．０１インチ）であることができる。横壁１３０と横壁２３０の間に基準隙間を設けることは、この２つを一緒に対合させるとき、ケーブルおよびユニット電気コネクタ・アセンブリの心ずれを防止するのに役立つ可能性がある。
【００３７】
図２Ａを参照すると、フィンガー３１０は、ケーブル・コネクタ・アセンブリ２００とユニット・コネクタ・アセンブリ１００の間の対合接続を形成する直前に、フィンガーの最外側部分（例えば、曲げ部３１０ｃ）が横壁２３０の内側表面２３５ｂをわずかに越えて（例えば、外側に）延びるように、外向きに付勢することができる。この結果、フィンガー３１０の曲げ部３１０ｃは、図２Ａに示すように横壁２３０の内側表面２３５ｂを過ぎてある距離Ｐ延びることができる。このようにすると、ケーブル・コネクタ・アセンブリ２００とユニット・コネクタ・アセンブリ１００の対合中（例えば、ピン１１５がレセプタクル２１５内に進むとき）、横壁２３０の内側表面２３５ｂは、フィンガー３１０を内向きに押すようにフィンガー３１０の曲げ部３１０ｃに接触する。図３に示すように、ケーブル・コネクタ・アセンブリ２００とユニット・コネクタ・アセンブリ１００が完全に対合した後、フィンガー３１０の外向きの付勢は結果として、電気的接続性がバックシェル２２０とハウジング１２０の間に形成されるように、フィンガー３１０が例えば曲げ部３１０ｃのところで横壁２３０の内側表面２３５ｂに比較的に堅く押し付けられることになる。様々な例示的な実施形態では、この距離Ｐは約０．１２７ｍｍ（０．００５インチ）から約０．７６２ｍｍ（０．０３インチ）の範囲にあり、例えばこの距離Ｓは約０．２５４ｍｍ（０．０１０インチ）であることができる。
【００３８】
例示的な一態様によれば、電気シールド３００と横壁２３０の間の嵌合、およびフィンガー３１０のばね付勢は、シールド・フィンガー３１０と横壁２３０の間の接触を維持するための比較的強い力をもたらし、その結果、シールド３００を介してハウジング１２０とバックシェル２２０の間の電気的接続を維持する。さらにシールド３００と横壁２３０の間の嵌合は、対合接続を維持するのに十分な力を供給できるように、オペレータによって通常操作されるねじおよび／または他の同様な機構などの、どんな追加の留め具の必要なしに、ユニット・コネクタ・アセンブリ１００とケーブル・コネクタ・アセンブリ２００の間の対合接続を維持するための十分な力をもたらすようなものであることができる。
【００３９】
それにもかかわらず、特に相対的に苛酷な動き状態を受ける環境では、電気コネクタ１１０と２１０の間の対合接続を維持するのを助けるための力を供給できるように、そのような留め具を設けることは望ましい場合がある。しかしながら、シールド３００と横壁２３０の間の比較的堅い嵌合に起因して、対合接続を維持するために必要とされるそのような留め具からの追加の力を減少させることができる。そのようなものとして、操作するのに比較的容易な留め具を使用することができる。例えば、図８〜１４を参照して以下により詳細に説明するような、さらに別の例示的な態様によれば、横壁２３０とフィンガー３１０の間の係合の構造に起因して、電気シールド３００の周りに対称関係に配置される複数の留め具を設けることは必要でない可能性がある。例えば、横壁２３０の自由端がガスケット状の形態を有する従来型の電気シールドの平らな表面と係合するのとは対照的に、横壁２３０の表面２３５ｂがフィンガー３１０の少なくとも曲げ部３１０ｃに沿って電気シールド３００と係合するので、かつ横壁２３０に向かうフィンガー３１０の付勢力が比較的緊くフィンガー３１０を横壁２３０に押し付けるので、電気シールド３００に対して対称的に配置される留め具は必要ない可能性がある。むしろ、いくつかの実施形態では、ケーブルおよびユニット電気コネクタ・アセンブリのコネクタの片側に配置される１つまたは複数の留め具を設けることで十分である可能性がある。さらに、比較的強いクランプ力をもたらす、例えば、従来型のねじなどの留め具は必要でない可能性がある。本発明の態様による電気シールドを備える電気コネクタ・アセンブリに使用するために適した留め具の例示的な実施形態は、図１１、１３、および１４を参照してより詳細に以下で論じる。
【００４０】
上記で論じたように、横壁１３０とフィンガー３１０の間の間隔は、ユニット・コネクタ・アセンブリ１００とケーブル・コネクタ・アセンブリ２００が対合位置にあるとき、バックシェル２２０の横壁２３０がその空間内に丁度嵌合するようなものであることができる。上記で論じた横壁２３０とフィンガー３１０の間の電気的接続性および接触は別にして、この間隔は、横壁１３０と２３０の間の比較的堅い嵌合をもたらし、これがさらにケーブル・コネクタ・アセンブリ２００とユニット・コネクタ・アセンブリ１００の間の電気的接続を保護する。さらに、この比較的堅い嵌合は、図２Ａに示すように、コネクタ部分１１５および２１５の対合のために、アセンブリ１００および２００を適切な位置に導くのを助ける。この比較的堅い嵌合は、対合位置にあるとき、アセンブリ１００と２００の間の実質的に平行な面を維持するのも助け、それは次いでピン１１５とレセプタクル２１５の間の対合接続を維持するのを助ける。
【００４１】
図２に示すように、別の例示的な態様によれば、ケーブル・コネクタ・アセンブリ２００とユニット・コネクタ・アセンブリ１００の対合中、フィンガー３１０がバックシェル２２０内に案内される前に、ピン１１５をレセプタクル２１５に受けることができる。この構造を設けることによって、対合中に結果としてケーブル・コネクタ・アセンブリ２００とユニット・コネクタ・アセンブリ１００の心ずれから生じる可能性のあるフィンガー３１０に対する損傷の潜在的なリスクを最小限にすることができる。さらに図２Ａに示すように、フィンガーの係合を容易にしかつそれに対する損傷を最小限にできるようにこのシールド・フィンガー３１０に対し引込部を設けることができるように、バックシェル２２０の横壁２３０の自由端部の内側縁部２３５ａに斜角をつけ、丸くし、面取りし、または別の方法で鈍化させることができる。ユニット・コネクタ・アセンブリ１００とケーブル・コネクタ・アセンブリ２００の対合中、フィンガーの上側部分３１０ｂは、縁部２３５ａを通過し比較的滑らかにかつ妨げられることなく移動し、遂に曲げ部３１０ｃが内側縁部２３５ａに係合しそれに沿って上昇する。したがって、斜角をつけた内側縁部２３５ａも、対合中、フィンガー３１０を曲げ、またはその他の方法で損傷させることに対する保護をもたらす。
【００４２】
図２〜４の例示的な実施形態の上記の説明で、電気シールド３００はユニット電気コネクタ・アセンブリ１００に結合されているものとして説明されているけれども、この電気シールド３００は替わりにケーブル電気コネクタ・アセンブリに結合できることを理解すべきである。したがって、様々な例示的な態様では、電気シールド３００をケーブル電気コネクタ・アセンブリのバックシェルに設けることができることは予期されている。一例として、図２〜４の要素１００およびその関連する構成部品がケーブル・コネクタ・アセンブリを備え、要素２００およびそれぞれのの関連する構成部品がユニット・コネクタ・アセンブリを備えることは予期することができる。その例示的な構造では、コネクタ１１０は１本または複数本の電線と電気的に接続しており、コネクタ２１０が電子ユニットの電気的構成部品と電気的に接続していることが可能である。
【００４３】
次に図５〜７を参照すると、電気コネクタ・アセンブリの別の例示的な実施形態が示されている。図２〜３の例示的な実施形態についてのように、図５〜６に示す電気コネクタ・アセンブリのこの例示的な実施形態は、例えば、レセプタクル５１５の形態の少なくとも１つの電気コネクタ接点と電気的なインターフェイスを形成する（１本または複数本のケーブルを形成する可能性のある）少なくとも１本の電線を収容し、それを保護するコネクタ５１０を備えるケーブル・コネクタ・アセンブリ５００を含む。バックシェル５２０がコネクタ５１０を取り囲む。図５および６の実施形態は、例えば、コネクタ５１０のレセプタクル５１５に受けられるように構成されるピン４１５の形態の１つまたは複数の電気接点を備えることができる電気コネクタ４１０を取り囲みかつそれを保護する保護ハウジング４２０を備えるユニット・コネクタ・アセンブリ４００をさらに含む。
【００４４】
図５〜６の電気コネクタ・アセンブリの実施形態は、図２〜３のそれと電気シールド６００およびバックシェル５２０の横壁５３０の構造において異なる。図７に示すように、この電気シールド６００は、開口部６２０を画成できるようにシールド６００の周辺周りに配置される複数の独立に移動可能なフィンガー６１０を備える。例示的な一態様によれば、フィンガー６１０はシールド６００の長手方向軸（例えば、中央）に向かって内向きに付勢、例えばばね付勢される。このフィンガー６１０は、下側部分６１０ａおよび上側部分６１０ｂを備える。上側部分６１０ｂおよび下側部分６１０ａは、図５Ａに示すように、上側部分６１０ｂがシールド６００の長手方向軸から離れて傾斜するように、ある角度α３で互いに交わる。換言すれば、上側部分６１０ｂはわずかに外向きにラッパ状に広がる。上側部分６１０ｂおよび下側部分６１０ａが交わるところの角度α３は、約９５°から約１３５°の範囲であることができ、例えば、α３は約１１５°であることができる。フィンガー６１０の下側部分６１０ａと上側部分６１０ｂが交わるところに、おのおののフィンガー６１０の最内表面部分を構成するわずかな曲げ（半径）６１０ｃが形成される。この曲げ６１０ｃは約０．２５４ｍｍ（．０１インチ）から約３．８１ｍｍ（．１５インチ）の範囲の曲率半径を有することができ、例えば約０．７６２ｍｍ（．０３インチ）である。
【００４５】
このフィンガー６１０は、シールド６００のベース部分６３０から延びる。このベース部分６３０は実質的に平らであることができ、フィンガー６１０の下側部分６１０ａはベース部分６３０に対し実質的に垂直な方向に、ベース部分６３０から延びることができる。ベース部分に対して実質的に垂直に延びるとは、下側部分６１０ａがベース部分６３０と９０°よりわずかに小さな角度α４でベース部分６３０と交わるフィンガー６１０を包含すると理解すべきである。例えば、α４は約５０°から約８０°の範囲であることができ、例えばα４は約８０度であることができる。
【００４６】
図４のベース部分３３０と同様に、ベース部分６３０は、相対的に大きな開口部６３５、および例えば座ぐりした開口部であることができる２つのより小さな開口部６４０を画成することができる。図５〜６に示すように、開口部６３５はユニット・コネクタ・アセンブリ４００の、ピン４１５を含む電気コネクタ４１０の一部分を受けることができる。開口部６４０は、上記で図２〜３の実施形態を参照して説明したのと同様な方法で、シールド６００をハウジング４２０の裏面４３５に固定するように構成される、例えば、ねじ、ピン、または他の固定機構などの固定機構を受けるように構成することができる。この開口部６４０は、それを通り配置される固定機構がハウジング４２０に加えてコネクタ４１０も通過できるように配置することができる。例えば、図１４のねじ９７５のような固定機構が開口部６４０を通過し、コネクタ４１０のキャプティブナット内に入ることができる。
【００４７】
このシールド６００は、図４のシールド３００を参照して上記で論じたそれらの材料および技術を含む、様々な材料および技術から製造することができる。
【００４８】
図５の例示的な態様に示すように、シールド６００は、フィンガー６１０が、コネクタ５１０およびケーブル・コネクタ・アセンブリ５００の電気コネクタ接点５１５と対合接続を形成する電気コネクタ４１０の部分を取り囲むように、ユニット・コネクタ・アセンブリ４００とともに配設することができる。シールド６００の外側周辺寸法は、フィンガー６１０がユニット・コネクタ・アセンブリ４００の横壁４３０から内向きに基準距離Ｃだけ間隔が開くようにすることができる。例えば、シールド６００の外側周辺は、横壁４３０から約０．１２７ｍｍ（０．００５インチ）から約０．７６２ｍｍ（０．０３インチ）の範囲の距離で間隔を開けることができ、例えばこの距離Ｃは約０．２５４ｍｍ（０．０１インチ）であることができる。以下でさらに説明するように、この距離Ｃは、フィンガー６１０が永久的に変形する可能性のある点に、フィンガー６１０が外向きに曲げられることを壁４３０が防止するように選択することができる。
【００４９】
上記で説明したように、このフィンガー６１０は、ケーブル・コネクタ・アセンブリ５００とユニット・コネクタ・アセンブリ４００の間の対合接続を形成する直前に、フィンガーの最内側部分（例えば、曲げ部６１０ｃ）が横壁５３０の外側表面５３７ｂのわずか内向きに延びるように、内向きに付勢することができる。この結果、フィンガー６１０の最内側部分は、図５および５Ａに示すように横壁５３０の内側表面の内向きにある距離Ｄ延びることができる。様々な例示的な実施形態では、この距離Ｄは約０．１２７ｍｍ（０．００５インチ）から約０．７６２ｍｍ（０．０３インチ）の範囲にあることができ、例えばこの距離Ｄは約０．２５４ｍｍ（０．０１０インチ）であることができる。
【００５０】
このようにすると、ケーブル・コネクタ・アセンブリ５００とユニット・コネクタ・アセンブリ４００の対合中（例えば、ピン４１５がレセプタクル５１５内に進むとき）、横壁５３０の外側表面５３７ｂはフィンガー６１０の曲げ部６１０ｃに接触し、フィンガー６１０を外向きに押す。図６に示すように、ケーブル・コネクタ・アセンブリ５００とユニット・コネクタ・アセンブリ４００が完全に対合した後、フィンガー６１０の内側向きの付勢は結果として、電気的接続性がバックシェル５２０とハウジング４２０の間に形成されかつ維持されるように、フィンガー６１０が、曲げ部６１０ｃのところで横壁５３０の外側表面に比較的堅く押し付けられるようになる。
【００５１】
例示的な一態様によれば、フィンガー６１０のばね付勢およびフィンガー６１０と横壁５３０の間の間隔は、対合接続を維持するのに十分なクランプ力をもたらすことができるようにオペレータによって通常操作される、ねじ、および／または他の同様な機構などの留め具の必要なしに、ユニット・コネクタ・アセンブリ４００およびケーブル・コネクタ・アセンブリ５００の電気コネクタ４１０と５１０の間の対合接続を維持するのに十分な力が供給されるようなものであることができる。しかしながら、図２および３の実施形態を参照して上記で説明したように、比較的苛酷な動き状態を受ける環境では、電気コネクタ間の対合接続を維持するのを助けるためにそのような留め具が必要とされ、それらは電気コネクタ・アセンブリのコネクタの片側に配置される１つまたは複数の留め具の形態であることができ、これらの留め具は操作するのに比較的困難であり得るような、複数の、または対称的に間隔を開けた、または構成されたもののいずれかである必要はない。例示的な一態様によれば、図８〜１４を参照して以下で論じるような留め具を使用することができる。
【００５２】
さらに、図２〜４の例示的な実施形態についてのように、図５〜７の実施形態の様々な特徴は、フィンガー６１０を曲げ、変形、および／または他の損傷から保護するのに役立つ。例えば、ケーブル・コネクタ・アセンブリ５００とユニット・コネクタ・アセンブリ４００を対合させるとき、横壁５３０およびフィンガー６１０が係合する前に雄型接点４１５と雌型接点５１５が互いに係合し始める。このようにすると、フィンガー６１０と壁５３０の間の潜在的な心ずれおよび不適切な接触によるフィンガー６１０の損傷を避けることができるように、コネクタ・アセンブリ４００および５００、したがって、横壁５３０とフィンガー６１０の間の適切な位置合わせが生じることができる。
【００５３】
別の例示的な態様では、対合中、フィンガー６１０の係合を容易にしかつそれに対する損傷を最小限にできる、横壁５３０をフィンガー６１０内へ挿入するための引込部を設けることができるように、バックシェル５２０の横壁５３０の自由端の外側縁部５３７ａは斜角をつけ、丸くし、面取りし、または別の方法で鈍化させることができる。その結果、ケーブル・コネクタ・アセンブリ５００とユニット・コネクタ・アセンブリ４００の間の対合の開始のとき、電気接点４１５および５１５は係合し、フィンガー６１０は横壁５３０に向かって移動することができるが、斜角をつけた外側縁部５３７ａに起因して最初に横壁５３０に接触しない。この構造は、曲げ部６１０ｃが縁部５３７ａに沿って上昇し、横壁５３０がフィンガー６１０の長さに沿ってさらに挿入されるときフィンガー６１０を外向きにわずかに曲げことを可能にすることによって、フィンガー６１０の横壁５３０との滑らかな係合を促進することができる。ケーブル・コネクタ・アセンブリ５００およびユニット・コネクタ・アセンブリ４００が完全に対合位置になった後、フィンガー６１０の曲げ部６１０ｃは、フィンガー６１０の内向きの付勢に起因して横壁５３０の外側表面５３７ｂに堅く押し付けられることができる。
【００５４】
加えて、横壁４３０とフィンガー６１０の間が比較的近接していることも、例えば、十分に過剰な外向きの曲げに起因する永久的な変形などの損傷からフィンガー６１０を保護することができる。すなわち、横壁４３０とフィンガー６１０の上側部分６１０ｂの間の距離Ｃは、フィンガー６１０の永久変形が起きる可能性のある位置を過ぎてフィンガー６１０が外向きに曲がることを、壁４３０が停止させるように選択することができる。
【００５５】
図２〜４の記述を参照して上記で説明したのと同様に、様々な例示的な実施形態では、電気シールド６００はユニット電気コネクタ・アセンブリの替わりにケーブル電気コネクタ・アセンブリに結合できることを理解すべきである。したがって、様々な例示的な実施形態では、電気シールド６００がケーブル電気コネクタ・アセンブリのバックシェルに設けることができることは予期されている。一例として、図５〜７の実施形態の要素４００およびその関連する構成部品がケーブル・コネクタ・アセンブリを備え、要素５００およびその関連する構成部品がユニット・コネクタ・アセンブリを備えることも予期可能である。その例示的な構造では、コネクタ４１０は１本または複数本の電線と電気的接続にあることができ、コネクタ５１０が電子ユニットの電気構成部品と電気的接続にあることができる。
【００５６】
様々な例示的な実施形態によれば、電気コネクタ・アセンブリは、（例えば、１本または複数本のケーブルの形態であり得る）１本または複数本の電線が、例えば、ケーブル・コネクタ・アセンブリとユニット・コネクタ・アセンブリの対合中、ケーブル・コネクタ・アセンブリが移動させられる方向に実質的に垂直な、ある角度の方向にバックシェルを出るように構成することができる。すなわち、ケーブルは、ケーブル・コネクタ・アセンブリとユニット・コネクタ・アセンブリの対合接続の間のインターフェイスを画成する面に実質的に平行な方向にバックシェルを出ることができる。そのような構造を提供することによって、ケーブル・コネクタ・アセンブリとユニット・コネクタ・アセンブリの係合および係脱を容易にすることができる。さらに、そのような構造は、ケーブル・コネクタ・アセンブリがより少ない空間しか占有せず、したがって、電子ユニット・コネクタ・アセンブリに隣接する使用可能な比較的小さな空間内に嵌合させることが可能になる。さらに、そのような構造は、バックシェル・アセンブリを出るケーブルを曲げる必要を減少させ、かつ／または無くし、その結果それらのケーブルおよび／または電線の応力を減少させる。
【００５７】
図８〜１４は、電線がケーブル・コネクタ・アセンブリとユニット・コネクタ・アセンブリの対合接続の間のインターフェイスを画成する平面に実質的に平行な方向にバックシェルを出ることができるように構成される電気コネクタ・アセンブリの例示的な一実施形態の様々な図を示す。図１１〜１４の横断面図および等角投影図に示すように、この電気コネクタ・アセンブリ実施形態も、例えば、図５〜７を参照して上記で論じたもののような構造を有する電気シールド１６００を備えることができる。しかしながら当業者にとって、対合接続のインターフェイスを画成する平面に実質的に平行な方向に電線が出ることができる構造を有するバックシェル・アセンブリを、様々な電気コネクタ・アセンブリ構造とともに使用することができ、図１１〜１４に示すような電気シールドを含む電気コネクタ・アセンブリと組み合わせて使用することに限定されないことは明らかであろう。
【００５８】
図８〜１０を参照すると、ケーブル・コネクタ・アセンブリ８００は、一端で例えば、電子ユニットと関連する電気コネクタ９１０の電気接点９１５と係合するように構成される電気接点８１５（図８〜１０に図示せず）を備えるコネクタ８１０を取り囲むバックシェル８２０を備えることができる。コネクタ８１０の電気接点は、図９の破線によって示すように、反対側の端部で１本または複数本の電線８４５と電気的インターフェイスを形成するように構成される。この１本または複数本の電線は、例えば１本または複数本のケーブルを形成することができる。図８〜１０の例示的な実施形態では、電子ユニット・コネクタ・アセンブリ９００と関連する電気接点９１５は、例えば、ケーブル・コネクタ・アセンブリ８００の電気コネクタ８１０と関連する複数のレセプタクルと係合するように構成される、複数のピンの形態である。別法として、ケーブル・コネクタ・アセンブリの電気コネクタは、電子ユニット電気コネクタ・アセンブリの複数の雌型接点（例えば、ピン、プロング、等）によって受けられるように構成される１つまたは複数の雄型接点（例えば、ピン、プロング、等）の形態であることができる。
【００５９】
図８に示すように、バックシェル８２０はケーブル・コネクタ・アセンブリ８００とユニット・コネクタ・アセンブリ９００の間の電気的インターフェイスの面に非平行の、かつ面から離れる方向に延びる複数の横表面８３５を備えることができる。一例として、この複数の横表面８３５は、ケーブル・コネクタ・アセンブリ８００とユニット・コネクタ・アセンブリ９００の間の電気的インターフェイスの面に対して実質的に垂直に延びることができる。このバックシェル８２０は、例えば、電線を通すためにバックシェル８２０の内部にアクセスできるようにバックシェル８２０の裏面に、例えばねじ８２６を介して脱着可能に固定するように構成される脱着可能な裏板８２５も備えることができる。当業者は、例えば、スナップ留め具、ねじ切り、または他の固定機構などを含む、ただし限定ではなく、ねじを介する以外の様々な固定機構によって裏板８２５を脱着可能に固定することができることを理解するであろう。
【００６０】
さらに別の例示的な態様によれば、かつ図８および９に示すように、このバックシェル８２０は、例えば、グリップ・ウイング（ｇｒｉｐ  ｗｉｎｇ）の形態の突起部分８２９も備えることができる。これらの突起部分８２９は、ケーブル・コネクタ・アセンブリのユニット・コネクタ・アセンブリとの係合および係脱中、バックシェル・アセンブリ８２０を使用者が容易に掴むことができるように、掴み表面を提供することができる。
【００６１】
（例えば、１本または複数本のケーブルの形態の）１本または複数本の電線がバックシェル・アセンブリ８２０の裏表面（例えば、ケーブル・コネクタ・アセンブリの電気コネクタの自由端が面する方向とは反対側の方向に面する表面）から出る従来型のバックシェル・アセンブリと対照的に、図８〜１０のバックシェル８２０の１つまたは複数の横表面８３５は、バックシェル８２０を出る電線（例えば、ケーブル）を受けるように構成される１つまたは複数の開口部８４０を画成することができる。図８〜１４の例示的な実施形態に示すように、例えば、頂部表面８３５ａが複数のチューブ８５０に繋がる開口部８４０を画成することができる。図８〜１４に示す例示的な実施形態では、頂部横表面８３５ａが、電線がバックシェルを出ることができるように構成されているけれども、１つまたは複数の他の横表面８３５も頂部表面８３５ａのように、以下で論じるように、電線がやはりこれらの横表面８３５の１つまたは複数を出ることができるようにも構成できることを理解すべきである。
【００６２】
図８〜１４の例示的な実施形態によれば、このチューブ８５０は、例えば、Ｔｙｃｏ  Ｅｌｅｃｔｒｉｃｓ−Ｒａｙｃｈｅｍ  Ｃｏｒｐ．  ＨＥＴ−Ａ−０４Ｃによって製造されるチューブなどの、金属チューブ部分８５０ａを覆って配置される収縮チューブ部分８５０ｂを有する金属チューブ部分８５０ａを備えることができる。この金属チューブ部分８５０ａは、電線を接地できるように電線を接続するための（例えば、電線のシールドを接続するための）出口通路および場所をもたらすことができ、一方この収縮チューブ部分８５０ｂは、湿分などがバックシェル・アセンブリに入るのを防止するシールをもたらすことができる。
【００６３】
様々な例示的な実施形態によれば、この電線は、電線を所望の位置に通しかつ保持し、歪緩和をもたらし、バックシェルに対する電線のシールドの接地を容易にし、かつ／または電線の周りの湿分および／または埃用のシールをもたらすことができるように構成されるチューブ以外の数多くの構造を介してバックシェルを出ることができる。電線をバックシェルから外にだすのに使用される構造は、例えば、シール、クランプ、歪緩和、および／または電気的シールドの所望の量などの、様々な要因に基づき選択することができる。一例としてのみであるが、例えば、開口部８４０に類似する開口部などの開口部を、出てくる電線をクランプするためにバックシェル内に形成されるクランプ機構（図示せず）とともに設けることができる。加えて、例えば図１０に示すように、２以上の開口部８４０がバックシェル８２０に形成され、この開口部がバックシェル８２０から電線を通すのに使用されていない場合は、開口部８４０を塞ぎ開口部およびバックシェル８２０の内部を湿分および／または他の好ましからざる材料からシールするためにプラグ８５５などのプラグを使用することができる。
【００６４】
例えば、１本または複数のケーブルの形態であり得る１本または複数の電線８４５は、例えば、図９および図１２の破線によって示すように、一端でコネクタ８１０内の接点８１５に電気的に接続され、バックシェル８２０の内部で曲げられ、１つまたは複数のそれぞれの開口部８４０およびチューブ８５０を通りバックシェル８２０を出ることができる。
【００６５】
例示的な一態様によれば、この電線８４５はバックシェル８２０の内部で約９０度の角度で曲げられ、頂部表面８３５ａの開口部８４０を通り、かつチューブ８５０を通り出る。さらに、例示的な一態様によれば、複数の電線をケーブル・コネクタ・アセンブリの電気コネクタとの電気的インターフェイスを形成することができるように設けることができ、おのおのの電線は、図９を参照して上記で説明したように、バックシェルの横表面から出る前にバックシェル・アセンブリの内部内で曲げられる場合がある。この複数の電線は、バックシェルを出るケーブルを形成できるように一緒に集めることができる。ケーブルを形成するためにそれらを一緒に集める前にバックシェル内で個々の電線を曲げることは、比較的小さな空間内でケーブルおよびケーブル・コネクタ・アセンブリをユニット・コネクタ・アセンブリと対合するように嵌合させるために、バックシェル・アセンブリの裏面を出るケーブルがバックシェル・アセンブリの外側で曲げられる従来型の電気コネクタ・アセンブリより優れた利点をもたらすことができる。個々の電線をバックシェルの内部内で曲げるのと対照的に、ケーブルをバックシェルの外側で曲げることは、ケーブルの分厚さに起因してより困難であり、かつケーブル内の電線に応力を掛ける可能性がある。最初に個々の電線を曲げ、次いでそれらを集めケーブルにすることによって、個々の電線により少ない応力しか掛からず、かつ曲げが容易になる可能性がある。さらに、ケーブルにおけるより個々の電線においてよりきつい曲げ（例えば、より高い曲率半径）を達成することが可能であり得、これは電線用の経路配置を選択するとき、より柔軟性をもたらすことができる。
【００６６】
例えば、図８〜１４の実施形態に示すように、１本または複数本の電線がバックシェルの横表面から出ることができるように構成されるケーブル・コネクタ・アセンブリによって達成することができる別の利点は、ケーブル・コネクタ・アセンブリをユニット・コネクタ・アセンブリとの対合接続から係脱させるように作用する力の低減を含むことができる。例えば、１本または複数本の電線（例えば、１本または複数本のケーブル）が、ユニット・コネクタ・アセンブリからのケーブル・コネクタ・アセンブリの係脱の方向と実質的に同じ方向にバックシェル・アセンブリの裏面を出る従来型のケーブル・コネクタ・アセンブリでは、ユニット・コネクタ・アセンブリと接続するための比較的小さな空間内にコネクタを嵌合させることができるように、電線は通常バックシェル・アセンブリの外側で曲げられる。結果として、１本または複数本の電線の重量がケーブル・コネクタ・アセンブリに、それをユニット・コネクタ・アセンブリとの対合係合から係脱させる傾向のある力を作り出す可能性がある。この力に対抗するために、従来型のコネクタ・アセンブリは、ケーブル・コネクタ・アセンブリとユニット・コネクタ・アセンブリの間の対合接続を維持するように働く追加のクランプ力を供給するためにオペレータが操作する複数の実質的に対称的に配設されるねじが通常設けられる。
【００６７】
電線８４５が、例えば、ケーブル・コネクタ・アセンブリ８００がユニット・コネクタ・アセンブリ９００と対合するために移動する方向に垂直な方向にバックシェル８２０の横表面８３５ａを出るようにケーブル・コネクタ・アセンブリ８００が構成される図８〜１４の例示的な実施形態では、出て行く電線８４５はバックシェル８２０の外側で曲げる必要はない。これがケーブル・コネクタ・アセンブリ８００とユニット・コネクタ・アセンブリ９００の間の対合接続を係脱させる傾向にある力を減少させることができる。したがって、例えば、ねじなどの追加の留め具は、ケーブル・コネクタ・アセンブリとユニット・コネクタ・アセンブリの間の対合位置を維持するために必要とされない可能性がある。
【００６８】
しかしながら、ケーブル・コネクタ・アセンブリとユニット・コネクタ・アセンブリの間の対合位置を維持することを確実にするために、追加の力が必要とされる場合のある限りにおいては、単一の、比較的操作が容易な留め具、または電気コネクタの同じ側に配置される複数の留め具を設けることで十分である可能性がある。そのような留め具の一例を図１１の横断面図に示す。図１１の例示的な実施形態では、留め具８６０がバックシェル８２０と関連して設けられている。この留め具８６０は、ケーブル・コネクタ・アセンブリ８００のユニット・コネクタ・アセンブリ９００への対合接続を維持するのを助ける力を供給できるように、バックシェル８２０およびユニット・コネクタ・アセンブリ９００のハウジング９２０を貫通して延びるように構成することができる。留め具８６０は、例えば、ねじ、ねじ切りされたボルト、迅速接続留め具（ｑｕｉｃｋ−ｃｏｎｎｅｃｔ  ｆａｓｔｅｎｅｒ）および他の同様な留め機構を含む、ただし限定ではない様々な留め具から選択することができる。例示的な一態様では、例えば、「ＤＺＵＳ（登録商標）」留め具などの迅速接続１／４回転留め具を使用することができる。操作必要性のより少ない１つまたは複数の留め具は、オペレータがケーブル・コネクタ・アセンブリを取り付けるのを容易にすることができる。図８〜１４の例示的な実施形態には単一の留め具８６０しか示されていないけれども、ケーブル・コネクタ・アセンブリ８００をユニット・コネクタ・アセンブリ９００に固定するのを助けるのに複数の留め具を使用できることは予期している。例示的な一態様では、複数の留め具が使用される場合、そのような留め具は対合接続部８１０および９１０の周りに対称的に配置する必要はない。その替わりに、この留め具は接続部８１０および９１０の片側に位置することができ、これが例えば、操作中留め具へのアクセスを容易にすることができる。
【００６９】
上記で説明したように、この留め具８６０は、留め具８６０の操作を容易にするためにハンドル８２７を備えることができる。加えて、留め具８６０の強度が十分な場合、このハンドル８２７は、バックシェル・アセンブリ８２０の残りの部分から取り外し、またはその部分に固定中に裏板８２５を掴むために、かつ／またはユニット・コネクタ・アセンブリ９００から取り外し、またはそれと係合中にケーブル・コネクタ・アセンブリ８００を掴むために使用することができる。
【００７０】
さらに別の例示的な一態様によれば、例えば、図１１および１２に示すように、バックシェル８２０は、コネクタ８１０および／または留め具８６０から間隔の開いた、かつそれらを取り囲む例えば、レッグ（ｌｅｇ）の形態であり得る１つまたは複数の横壁８３０を含むこともできる。この壁８３０は、実質的に垂直に、ユニット・ハウジング９２０の平らな面と接触するように、または電気シールドが使用されている場合は、図１１および１２に示すように電気シールド１６００の裏面１６３０に接触するように構成される自由端を有することができる。この壁８３０をユニット・ハウジング９２０の平らな表面または電気シールド１６００の裏面１６３０と接触するように構成することによって、ケーブル・コネクタ・アセンブリ８００とユニット・コネクタ・アセンブリ９００の間の直角の接続を容易にすることができる。
【００７１】
上記で論じたように、様々な例示的な態様によれば、電気コネクタ・アセンブリは、電線がケーブル・コネクタ・アセンブリとユニット・コネクタ・アセンブリと例えば、図２〜７の例示的な実施形態を参照して説明したような電気シールド構造などの電気シールドとの係合の方向に対して実質的に垂直な方向にバックシェルを出ることができるように構成されるケーブル・コネクタ・アセンブリを含むことができる。図１１〜１４は、図８〜１０の電気コネクタ・アセンブリと関連する電気シールドを示す。特に図１１および１２は、ユニット・コネクタ・アセンブリ９００およびケーブル・コネクタ・アセンブリ８００を備える電気コネクタ・アセンブリの２つの異なる横断面を示し、図１３Ａおよび１３Ｂは、バックシェル・アセンブリ８２０および図１１および１２のユニット・コネクタ・アセンブリの異なる斜視図を示し、図１４はケーブル・コネクタ・アセンブリ８００およびユニット・コネクタ・アセンブリ９００の分解等角投影斜視図である（電線は図１３および１４に示されていない）。
【００７２】
図１１〜１４に示すように、電気コネクタ・アセンブリ１０００は、ユニット・コネクタ・アセンブリ９００の複数の雄型電気接点９１５（例えば、ピン、プロング等）を受けるように構成される複数の雌型コネクタ部品（例えば、レセプタクル）の形態の電気接点８１５を保持しかつ保護するコネクタ８１０を備えるケーブル・コネクタ・アセンブリ８００を含む。このコネクタ８１０は、例えば、ケーブルを形成することができ、電気接点８１５と（図に示されていない）電気的インターフェイスをもたらす１本または複数本の電線８４５を受けるように構成される開口部を一端に含む。電線が受けられるところとは反対側のコネクタ８１０の端部のところの開口部は、ユニット・コネクタ・アセンブリ９００とケーブル・コネクタ・アセンブリ８００が対合位置にあるとき電気接点９１５およびユニット・コネクタ・アセンブリ９００のコネクタ９１０を受けるように構成される。
【００７３】
このケーブル・コネクタ・アセンブリ８００は、図８〜１０を参照して説明したバックシェル８２０構造も含む。このバックシェル８２０は、ケーブル・コネクタ・アセンブリ８００とユニット・コネクタ・アセンブリ９００の対合接続中、ユニット・コネクタ・アセンブリ９００に面する前面８２１を備える。
【００７４】
図１２に示すように、電気コネクタ８１５に接続される電線８４５は、バックシェル・アセンブリ８２０の内部内で曲げを形成し、電線８４５がそこから出るそれぞれの開口部８４０およびチューブ８５０に向かう方向に電線８４５は向きを変えることができる。バックシェルの裏面から出るのと対照的に、電線をバックシェルの内部内で曲げ、電線がバックシェルの横面から出ることができるようにすることの様々な利点は、上記で図８〜１０を参照して論じている。
【００７５】
図１１〜１４の例示的な実施形態では、ユニット・コネクタ・アセンブリ９００は、電気コネクタ９１０を受けるように構成される開口部９２５を画成するハウジング９２０を備える。この電気コネクタ９１０は、例えば、ケーブル・コネクタ・アセンブリ８００と関連する複数のレセプタクル８１５内に挿入するように構成される、例えば、ピン、プロング、または他の雄型接点部品などの複数の雄型接点部品９１５を備えることができる。図１１〜１４に示されていない代替の構造では、ユニット・コネクタ・アセンブリは１つまたは複数の雌型コネクタ部品の形態の電気コネクタを備えることができ、ケーブル・コネクタ・アセンブリは１つまたは複数の雄型コネクタ部品の形態の電気コネクタを備えることができる。
【００７６】
開口部９２５を取り囲み、かつケーブル・コネクタ・アセンブリ８００に向かう方向に面して、本明細書で論じたような、本発明の例示的な態様による電気シールド１６００を設けることができる。図１１〜１４に示す例示的な実施形態では、このシールド１６００は、図５〜７を参照して説明したのと同様な形態を有することができる。しかしながら、例えば、上記で図２〜４の説明を参照して説明したような電気コネクタ・アセンブリの別の部分に対する適切な改変を有する図２〜４の例示的な実施形態を参照して説明したものと同様な形態を有するシールドを含む、本発明の態様による任意のシールドを使用できることは理解すべきである。さらに、電気シールドをユニット・コネクタ・アセンブリのハウジング９２０に取り付ける替わりに、上記で図２〜７の実施形態を参照して論じたように、電気シールドをケーブル・コネクタ・アセンブリ８００のバックシェルに設けることができることは予期している。電気シールドをケーブル・コネクタ・アセンブリ８００のバックシェルに取り付ける場合は、図２〜７の実施形態を参照して上記で説明したそれらの要素の様々な配置を実現できるように、バックシェル横壁８３０およびユニット・ハウジング横壁９３０それぞれの位置に対して、それらの間および電気シールドと横壁８３０および９３０間の適切な嵌合を実現できるように適切な改変を行うことができる。
【００７７】
図５〜７の例示的な実施形態についてのように、このシールド１６００は、電気コネクタ８１０を受けるように構成される相対的に大きな開口部１６３５およびシールド１６００を電気コネクタ８１０に面するハウジング９２０の面に固定するためのねじ９７５および／または他の固定機構を受けるように構成される２つのより小さな座繰り開口部１６４０を画成することができる。
【００７８】
複数の付勢される、例えばばね付勢されるフィンガー１６１０が、シールド１６００の実質的に平らなベース部分１６３０から延びることができる。図１１〜１４の例示的な実施形態によれば、このフィンガー１６１０は、内向きに付勢することができる。図１３Ａおよび１３Ｂは、ユニットおよびケーブル・コネクタ・アセンブリが対合位置にあるとき、ケーブル・コネクタ・アセンブリ８００に面する側から（図１３Ａ）およびケーブル・コネクタ・アセンブリ８００から離れて面する側から（図１３Ｂ）それぞれユニット・コネクタ・アセンブリ９００を見た、組み立てられた形態のユニット・コネクタ・アセンブリ９００の斜視図を示す。
【００７９】
図１１および１２に示すように、ケーブル・コネクタ・アセンブリ８００がユニット・コネクタ・アセンブリ９００との対合位置内に持って来られるとき、コネクタ８１０から間隔が開きかつそれを取り囲むバックシェル８２０の横壁８３０が、雄型接点部品９１５が雌型接点部品８１５内に前進するとき、シールド１６００の内向きに付勢されたフィンガー１６１０を外向きに押す。その結果、上記で図５〜７を参照して説明したように、ケーブル・コネクタ・アセンブリ８００およびユニット・コネクタ・アセンブリ９００は完全に対合し、フィンガー１６１０の内向きの付勢は、バックシェル８２０とユニット・コネクタ・ハウジング９２０の間の電気的接触を維持するのを助けることができるように、フィンガー１６１０が曲げ部１６１０ｃのところで横壁８３０の外側表面に比較的堅く押し付けられるようになる。
【００８０】
バックシェル、ユニット・ハウジング、電気コネクタ、およびシールドの例示的な形態に関するさらなる詳細に対しては、図２〜１０の実施形態について言及がされている。
【００８１】
様々な例示的な態様によれば、図１１〜１４の電気コネクタ・アセンブリの実施形態は、留め具８６０を含むことができる。図１１、１３および１４に示すように、この留め具８６０は、裏板８２５を通して延び、裏板８２５に取り付けられ、一端で留め具８６０はハンドル８２７によって掴まれ、反対側の端部で留め具８６０は、ユニット・コネクタ・ハウジング９２０に取り付けるためにそれに設けられた穴９６０内に延びるように構成される。図１３Ａ、１３Ｂおよび１４に示すように、穴９６０を貫通して延びる留め具８６０の端部を受けることができるように、例えば、リベット９６７を介して保持ばね９６５をユニット・ハウジング９２０に取り付けることができる。この保持ばね９６５は、当業者に知られている迅速接続留め具８６０を保持するための従来型の形態を有する。別の保持具８６５を、裏板８２５のハンドル８２７から反対側に設けることができ、留め具８６０を裏板８２５内に保持できるように、例えば、留め具の減少する断面の区域のところで留め具８６０に機械的にひだを作ることができる。留め具８６０は、図１１および１３〜１４に示すように、ケーブル電気コネクタ８１０とユニット電気コネクタ９１０のインターフェイス接続部の片側に対してオフセットするように配設することができる。
【００８２】
論じたように、バックシェル・アセンブリ８２０の裏面ではなく横面８３５からの電線の経路設定、ならびにシールド１６００の形態に起因して、図８〜１４の留め具８６０を参照して説明したように構成され、かつ配置される単一の、比較的操作が容易な留め具を、ケーブル・コネクタ・アセンブリ８００とユニット・コネクタ・アセンブリ９００の間の対合接続を維持するのを助けるために、かつユニット・ハウジング９２０とバックシェル８２０の間の電気接触を維持するのを助けるために使用することができる。換言すれば、電線８４５がバックシェル８２０の内部内で曲げを形成し、かつケーブル・コネクタ・アセンブリ８００とユニット・コネクタ・アセンブリ９００の間のインターフェイス接続部の平面に対して実質的に垂直な（例えば、ユニット・コネクタ・アセンブリ９００との対合中のケーブル・コネクタ・アセンブリ８００の移動方向に垂直な）方向にバックシェル８２０から出ることができるように経路設定することは、バックシェル・アセンブリの裏面から出る電線を有する従来型電気コネクタ・アセンブリでケーブル・コネクタ・アセンブリをユニット・コネクタ・アセンブリから係脱させる傾向にある、出て行く電線の重量に関連する力およびケーブル曲げ力を最小限にする傾向にある。さらに、電気シールド１６００の形態およびシールド１６００と横壁８３０の間の係合も、ケーブル・コネクタ・アセンブリとユニット・コネクタ・アセンブリの間のより強い結合力をもたらすことができる。しかしながら、ケーブル・コネクタ・アセンブリのユニット・コネクタ・アセンブリに対する対合中、バックシェルの移動方向に実質的に垂直な方向に電線がバックシェルを介して出ることができるように構成されるバックシェルは、本明細書で開示したような電気シールドを備えるユニット・コネクタ・アセンブリとともに使用する必要はないことを理解すべきである。例えば、図１に示すケーブル・コネクタ・アセンブリ１０は、いくつかの例示的な実施形態ではそうである可能性があるけれども、例えば、図１４に示すような、電気シールドを備える電気コネクタ・アセンブリの一部である必要はない。
【００８３】
したがって、例えば、ケーブル・コネクタおよびユニット・コネクタに対して対称的に配置されるねじなどの複数の比較的強いクランプ機構の代わりに、例えば、ＤＺＵＳ（登録商標）または他の迅速接続留め具などの比較的操作が簡単な、かつオフセットして配設される１つまたは複数の留め具を使用することができる。しかしながら、コネクタ８１０および９１０を実質的に均一に分布する力で一緒に保持するために、留め具は図１３Ａ、１３Ｂおよび１４に示すようにバックシェルのほぼ中央線のところに配置することができる。別法では、複数の留め具を中央線に対して実質的に対称的に、しかしコネクタの同じ側に配置することができ、この配置も使用者が留め具にアクセスし操作するのを容易にすることができる。そのような留め具の構造は、オペレータがケーブル・コネクタ・アセンブリを取り付け、かつ／または取り外すのを容易にすることができる。例えば、ねじ、ボルト、または他の留め機構などの、図８〜１４の例示的な実施形態に示し、説明したもの以外の様々な留め機構を使用できることを理解すべきである。
【００８４】
本明細書で説明した様々な実施形態で、電気シールドが様々な電気コネクタ・アセンブリと関連して示したけれども、減少したＥＭＩ／ＲＦＩ暴露レベルの場合、および／またはＥＭＩ／ＲＦＩシールド要求が厳しくない場合は、そのようなシールドは必要でない可能性があることは予期している。例えば、図８〜１４では、電線が直角に出ることができるバックシェル形態を、本明細書で説明したシールド３００、６００または１６００のような電気シールドを備えない電気コネクタ・アセンブリに使用できることは予期している。さらに、バックシェル２２０、５２０、８２０は、ケーブル・コネクタ・アセンブリ２００、５００、８００がユニット・コネクタ・アセンブリ１００、４００、９００と対合位置にあるとき、バックシェル横壁２３０、５３０、８３０の自由端が裏壁１３５、４３５、９３５と接触していることが可能なように構成できることは予期している。例えば、図３にＥ標識をつけることによって示すように、横壁２３０と裏壁１３５の間の接触は、いくつかの例示的な態様ではバックシェル２２０とハウジング１２０の間の電気的接続性をもたらすのに十分である可能性があり、したがって、電気シールド３００は必要でない可能性がある。同様に、図６および１１の実施形態では、バックシェル５２０、８２０とハウジング４２０、９２０の間の電気的接続性をもたらすことができるように、シールド６００、１６００を取り除き、横壁５３０、８３０の自由端を裏壁４３５、９３５に直接接触させることができることは予期している。
【００８５】
上記で述べた部品を作るために使用される様々な構造用部品および材料の寸法、形態、数、および配置は、説明的かつ例示的なものに過ぎないことを理解すべきである。当業者は、これらの寸法、形態、数、配置、材料、および／または他のパラメータは、異なる効果、所望の特性を作り出すために、かつ／または本明細書で例示したもの以外の異なる用途を達成するために変更することができることを理解するであろう。本明細書で説明した電気コネクタ・アセンブリの様々な構成部品は、薄板技術、機械加工、鋳造、熱処理、または他の知られた製造技術によって作ることができることは予期している。さらに、一例として、ケーブル・コネクタ・アセンブリに任意の本数の電線を使用することができ、任意の本数のケーブルを形成できる、またはできない可能性があることは予期している。術語ケーブル・コネクタ・アセンブリは、ケーブルを形成する複数の電線を収容するコネクタ・アセンブリに限定されるべきであると理解すべきではなく、むしろ（単一の電線を含む）個々の電線が電気コネクタとの電気的インターフェイス用に設けられる実施形態をより広く対象とするためのものでもある。
【００８６】
様々な電気コネクタをこのケーブル・コネクタ・アセンブリおよびユニット・コネクタ・アセンブリと関連して使用することができ、本明細書で示す実施形態は例示のみであることも理解すべきである。したがって、例えば、本発明の態様による電気シールドを対合するコネクタの周りに適切に嵌合するように、このシールドおよび対合するハウジング（例えば、バックシェルおよびユニット・ハウジング）の型を変更することによって任意の種類のコネクタとともに使用できることは予期している。さらに、様々な例示的な実施形態では、本発明の態様による電気シールドはこのケーブル・コネクタ・アセンブリと関連して設けることができ、このユニット・コネクタ・アセンブリのハウジングの一部分と付勢係合するように構成できることは予期している。
【００８７】
さらに、本明細書で説明した電気コネクタ・アセンブリは航空環境での使用のために企図されているけれども、この電気コネクタ・アセンブリは、電力を含む電気信号、データおよび／または他の信号を２つのあいだで供給するためにケーブルを電子ユニットに接続することが望ましい任意の用途を含む、様々な用途に使用できることは予期している。
【００８８】
当業者には、本発明の構造および方法に対して様々な改変および変形を行うことができることは明らかであろう。したがって、本発明は本明細書で論じた例に限定されないことを理解すべきである。そうではなく、本発明は改変および変更を包含することを意図している。本発明の他の実施形態は、本明細書で開示された本発明の明細書および実施例を考慮することによって当業者には明らかになるであろう。
【図面の簡単な説明】
【００８９】
【図１】本発明の例示的な実施形態による、電子ユニットのユニット・コネクタ・アセンブリとの対合位置にあるケーブル・コネクタ・アセンブリの斜視図である。
【図２】図２は、コネクタ・アセンブリの対合中のある位置で示す、ケーブル・コネクタ・アセンブリおよびユニット・コネクタ・アセンブリの例示的実施形態の部分横断面図である。
【００９０】
図２Ａは、図２の部分２Ａの引き伸ばした図である。
【図３】対合位置にある、図２のケーブル・コネクタ・アセンブリおよびユニット・コネクタ・アセンブリの部分横断面図である。
【図４】図２および３の電気シールドの斜視図である。
【図５】図５は、コネクタ・アセンブリの対合中のユニット・コネクタ・アセンブリおよびケーブル・コネクタ・アセンブリの別の例示的実施形態の部分横断面図である。
【００９１】
図５Ａは、図５の部分５Ａの引き伸ばした図である。
【図６】対合位置にある、図５のユニット・コネクタ・アセンブリおよびケーブル・コネクタ・アセンブリの部分横断面図である。
【図７】図５の電気シールドの斜視図である。
【図８】電気コネクタ・アセンブリの例示的実施形態の上面斜視図である。
【図９】ユニット・コネクタ・アセンブリとの対合位置にある、図８のケーブル電気コネクタ・アセンブリの側面斜視図である。
【図１０】図８のケーブル電気コネクタ・アセンブリの平面図である。
【図１１】図９の電気コネクタ・アセンブリの線ＸＩ−ＸＩからとられた横断面図である。
【図１２】図９の電気コネクタ・アセンブリの線ＸＩＩ−ＸＩＩからとられた横断面図である。
【図１３】図１３Ａは、対合していない位置にある、図９のケーブル・コネクタ・アセンブリおよびユニット・コネクタ・アセンブリの斜視図である。
【００９２】
図１３Ｂは、対合していない位置にある、図９のケーブル・コネクタ・アセンブリおよびユニット・コネクタ・アセンブリの斜視図である。
【図１４】図９のケーブル・コネクタ・アセンブリおよびユニット・コネクタ・アセンブリの等角投影斜視図である。
【符号の説明】
【００９３】
１  電子ユニット
１０  ユニット電気コネクタ・アセンブリ
１５  電線
２０  ケーブル・コネクタ・アセンブリ
１００  ユニット・コネクタ・アセンブリ
１１０  電気コネクタ
１１５  雄型電気接点
１２０  ハウジング
１３０  横壁
１３５  裏面
２００  ケーブル・コネクタ・アセンブリ
２１０  コネクタ
２１５  レセプタクル
２２０  ハウジング、バックシェル
２３０  横壁
３００  電気シールド
３１０  フィンガー
３２０  開口部
３３０  ベース部分
３３５  大きな開口部
３４０  小さな開口部
４００  ユニット・コネクタ・アセンブリ
４１０  電気コネクタ
４１５  ピン
４２０  ハウジング
４３０  横壁
４３５  裏面
５００  ケーブル・コネクタ・アセンブリ
５１０  コネクタ
５１５  レセプタクル
５２０  バックシェル
５３０  横壁
６００  電気シールド
６１０  フィンガー
６２０  開口部
６３０  ベース部分
６３５  大きな開口部
６４０  小さな開口部
８００  ケーブル・コネクタ・アセンブリ
８１０  コネクタ
８１５  電気接点
８２０  バックシェル
８２７  ハンドル
８３０  横壁
８４５  電線
８６０  留め具
９００  電子ユニット・コネクタ・アセンブリ
９１０  電気コネクタ
９１５  電気接点
９２０  ユニット・ハウジング
９７５  ねじ
１０００  電気コネクタ・アセンブリ
１６００  電気シールド
１６１０  フィンガー
１６３０  裏面、ベース部分
１６３５  大きな開口部
１６４０  小さな開口部
【図１】
2007128890.tif 000003
【図２】
2007128890.tif 000004
【図３】
2007128890.tif 000005
【図４】
2007128890.tif 000006
【図５】
2007128890.tif 000007
【図６】
2007128890.tif 000008
【図７】
2007128890.tif 000009
【図８】
2007128890.tif 000010
【図９】
2007128890.tif 000011
【図１０】
2007128890.tif 000012
【図１１】
2007128890.tif 000013
【図１２】
2007128890.tif 000014
【図１３】
2007128890.tif 000015
【図１４】
2007128890.tif 000016
【外国語明細書】
2007128890000001.pdf